(57)【要約】【課題】蓋箱と身箱とを粘着テープ等で固定しなくても、蓋箱と身箱との取付け状態を維持可能な収容箱を提供する。【解決手段】収容箱は、身箱と、蓋箱とを備える。身箱は、上方に多角形状の開口部が形成されている。蓋箱は、多角形状の天面と、複数の側面とを含み、上記開口部を覆う。身箱は、開口部の少なくとも一辺に部分的に連結されたフラップを含む。フラップは、上記開口部の内側に向けて折り曲げられた状態で、上記一辺から上記開口部の内側に延びるフラップ本体部と、上記一辺から上記開口部の外側に延びる突出部とを含む。複数の側面のうち蓋箱が身箱の上方に取り付けられた状態で上記一辺に隣接する隣接側面と、天面との間には凹部が形成されている。蓋箱が身箱の上方に取り付けられた状態で、突出部は凹部に係合する。隣接側面は、側面本体と、側面本体よりも蓋箱の内側に折り曲げ可能な押込み部とを含む。【選択図】図１
2020019547.tif 000002
【特許請求の範囲】
【請求項１】
上方に多角形状の開口部が形成された身箱と、
前記身箱の上方に着脱可能な蓋箱とを備え、
前記蓋箱は、多角形状の天面と、複数の側面とを含み、前記身箱の上方に取り付けられた状態で前記開口部を覆い、
前記身箱は、前記開口部の少なくとも一辺に部分的に連結されたフラップを含み、
前記フラップは、前記開口部の内側に向けて折り曲げられた状態で、前記一辺から前記開口部の内側に延びるフラップ本体部と、前記一辺から前記開口部の外側に延びる突出部とを含み、
前記複数の側面のうち前記蓋箱が前記身箱の上方に取り付けられた状態で前記一辺に隣接する隣接側面と、前記天面との間には凹部が形成されており、
前記蓋箱が前記身箱の上方に取り付けられた状態で、前記突出部は前記凹部に係合し、
前記隣接側面は、側面本体と、前記側面本体よりも前記蓋箱の内側に折り曲げ可能な押込み部とを含む、収容箱。
【請求項２】
前記突出部は、前記蓋箱が前記身箱の上方に取り付けられた状態で前記隣接側面と対向する前記身箱の側面上において水平方向に形成された水平切込み部と、各々が前記身箱の側面上において垂直方向に形成された２つの垂直切込み部とを設けることによって形成されており、
前記２つの垂直切込み部と前記水平切込み部とによって、Ｈ字状の切込みが形成されている、請求項１に記載の収容箱。
【請求項３】
前記一辺と前記フラップとの連結部分の少なくとも一部にはミシン目が形成されている、請求項１又は請求項２に記載の収容箱。
【発明の詳細な説明】
【技術分野】
【０００１】
本発明は、収容箱に関する。
【背景技術】
【０００２】
特開平９−２０７９０３号公報（特許文献１）は、製品を内部に収容する収容箱を開示する。この収容箱は、製品を詰め合わせた身箱と、身箱に取り付けられた蓋箱とを含む（特許文献１参照）。
【先行技術文献】
【特許文献】
【０００３】
【特許文献１】特開平９−２０７９０３号公報
【発明の概要】
【発明が解決しようとする課題】
【０００４】
上記特許文献１に開示されているような収容箱において、身箱に蓋箱を固定するためには、たとえば、粘着テープが用いられる。この場合には、身箱に蓋箱を取り付けた後に、粘着テープが身箱及び蓋箱に貼り付けられる。すなわち、身箱に蓋箱を取り付ける工程の他に、身箱及び蓋箱に粘着テープを貼り付ける工程が必要となる。
【０００５】
本発明は、このような問題を解決するためになされたものであって、その目的は、蓋箱と身箱とを粘着テープ等で固定しなくても、蓋箱と身箱との取付け状態を維持可能な収容箱を提供することである。
【課題を解決するための手段】
【０００６】
本発明に従う収容箱は、身箱と、蓋箱とを備える。身箱は、上方に多角形状の開口部が形成されている。蓋箱は、身箱の上方に着脱可能である。蓋箱は、多角形状の天面と、複数の側面とを含み、身箱の上方に取り付けられた状態で上記開口部を覆う。身箱は、開口部の少なくとも一辺に部分的に連結されたフラップを含む。フラップは、上記開口部の内側に向けて折り曲げられた状態で、上記一辺から上記開口部の内側に延びるフラップ本体部と、上記一辺から上記開口部の外側に延びる突出部とを含む。複数の側面のうち蓋箱が身箱の上方に取り付けられた状態で上記一辺に隣接する隣接側面と、天面との間には凹部が形成されている。蓋箱が身箱の上方に取り付けられた状態で、突出部は凹部に係合する。隣接側面は、側面本体と、側面本体よりも蓋箱の内側に折り曲げ可能な押込み部とを含む。
【０００７】
この収容箱においては、蓋箱が身箱の上方に取り付けられた状態で、突出部と凹部とが係合する。したがって、この収容箱によれば、蓋箱と身箱とを粘着テープ等で固定しなくても、蓋箱と身箱との取付け状態を維持することができる。また、この収容箱においては、隣接側面が押込み部を含む。押込み部が蓋箱の内側に折り曲げられると、押込み部が身箱の側面を押圧し、突出部と凹部との係合が解除される。したがって、この収容箱によれば、押込み部を蓋箱の内側に折り曲げるだけで、容易に蓋箱を身箱から取り外すことができる。
【０００８】
突出部は、蓋箱が身箱の上方に取り付けられた状態で隣接側面と対向する身箱の側面上において水平方向に形成された水平切込み部と、各々が身箱の側面上において垂直方向に形成された２つの垂直切込み部とを設けることによって形成されており、２つの垂直切込み部と水平切込み部とによって、Ｈ字状の切込みが形成されていてもよい。
【０００９】
たとえば、２つの垂直切込み部と水平切込み部とによってコの字状の切込みを形成することが考えられる。この場合には、コの字状の刃によって切込みを形成し得る。しかしながら、この場合には、垂直切込み部を形成する方向の刃の長さが短く、垂直切込み部と水平切込み部とによって形成される角が必ずしも鋭利ではなくなってしまう可能性がある。本発明に従う収容箱においては、２つの垂直切込み部と水平切込み部とによって、Ｈ字状の切込みが形成される。したがって、この収容箱によれば、垂直切込み部を形成する刃の長さを十分に長くすることができるため、垂直切込み部と水平切込み部とによって形成される角を鋭利にすることができる。
【００１０】
また、たとえば、２つの垂直切込み部と水平切込み部とによってコの字状の切込みが形成されている場合には、フラップを誤って身箱の開口部の外側に向けて折り曲げてしまったときに、フラップを身箱の開口部の内側に向けて折り曲げ直したとしても、突出部が（コの字状の切込みに引っ掛かって）必ずしも身箱の開口部の外側に延びないという事態が生じ得る。本発明に従う収容箱においては、２つの垂直切込み部と水平切込み部とによって、Ｈ字状の切込みが形成される。この収容箱においては、フラップの折り曲げ方向を誤った方向から正しい方向に修正した場合に、身箱の側面の一部（Ｈ字状の切込みが設けられた部分）が押し曲げられるため、突出部が身箱の開口部の外側に延びる可能性が高い。したがって、この収容箱によれば、フラップの折り曲げ方向を一度間違ってしまったとしても、再度フラップを折り曲げ直すことによって、突出部を身箱の開口部の外側に延ばすことができる。
【００１１】
上記一辺とフラップとの連結部分の少なくとも一部にはミシン目が形成されていてもよい。
【００１２】
この収容箱においては、開口部の一辺とフラップとの連結部分の少なくとも一部にミシン目が形成されている。したがって、ユーザは、身箱から蓋箱を取り外した後に、フラップを身箱本体から千切り取ることができる。
【発明の効果】
【００１３】
本発明によれば、蓋箱と身箱とを粘着テープ等で固定しなくても、蓋箱と身箱との取付け状態を維持可能な収容箱を提供することができる。
【図面の簡単な説明】
【００１４】
【図１】収容箱の斜視図である。
【図２】身箱の斜視図である。
【図３】身箱の正面図である。
【図４】身箱の側面図である。
【図５】身箱の展開図である。
【図６】蓋箱の斜視図である。
【図７】蓋箱の正面図である。
【図８】図７のＶＩＩＩ−ＶＩＩＩ断面図である。
【図９】図８のＩＸ−ＩＸ断面の一部を示す模式図である。
【図１０】蓋箱の展開図である。
【図１１】身箱へ蓋箱が取り付けられた状態における、突出部と凹部との位置関係を示す図である。
【図１２】蓋箱の取外し方法を説明するための図である。
【発明を実施するための形態】
【００１５】
以下、本発明の実施の形態について、図面を参照しながら詳細に説明する。なお、図中同一又は相当部分には同一符号を付してその説明は繰り返さない。
【００１６】
［１．収容箱の構成］
図１は、本実施の形態に従う収容箱１０の斜視図である。収容箱１０は、たとえば、厚紙で構成されており、製品を収容するように構成されている。収容箱１０は、たとえば、ネジ等の機械部品や半導体チップ等の電子部品を収容する。
【００１７】
図１に示されるように、収容箱１０は、身箱１００と、蓋箱２００とを含んでいる。身箱１００には、製品が詰められる。蓋箱２００は、身箱１００の上方に着脱可能であり、身箱１００の上方を覆う。
【００１８】
身箱と蓋箱とを含む一般的な収容箱においては、たとえば、粘着テープを用いることによって蓋箱が身箱に固定される。しかしながら、この場合には、製品を箱詰めする工程において、身箱に蓋箱を取り付ける工程の他に、身箱及び蓋箱に粘着テープを貼り付ける工程が必要となる。
【００１９】
本実施の形態に従う収容箱１０においては、身箱１００及び蓋箱２００に構造的な工夫が施されているため、身箱１００と蓋箱２００とを粘着テープ等で固定しなくても、身箱１００への蓋箱２００の取付け状態が維持される。以下、身箱１００及び蓋箱２００について詳細に説明する。
【００２０】
［２．身箱の構成］
＜２−１．身箱の外観構成＞
図２は、身箱１００の斜視図である。図２に示されるように、身箱１００は、身箱本体１１０と、フラップ１２０（１２０Ａ，１２０Ｂ）とを含んでいる。身箱本体１１０の上方には、四角形状の開口部１０５が形成されている。すなわち、開口部１０５は、身箱本体１１０の各側面の上端部によって形成されている。フラップ１２０Ａは開口部１０５の一辺に連結されており、フラップ１２０Ｂはフラップ１２０Ａが連結された一辺と対向する一辺に連結されている。各フラップ１２０は、開口部１０５の内側に向けて折り曲げられている。
【００２１】
図３は、身箱１００の正面図である。図３に示されるように、各フラップ１２０は、フラップ本体部１２４と、突出部１２２とを含んでいる。フラップ本体部１２４は、フラップ１２０が開口部１０５（図２）の内側に向けて折り曲げられた状態において、身箱本体１１０の側面から開口部１０５の内側に延びている。一方、突出部１２２は、フラップ１２０が開口部１０５の内側に向けて折り曲げられた状態において、身箱本体１１０の側面から開口部１０５の外側に延びている。
【００２２】
図４は、身箱１００の側面図である。図４に示されるように、各フラップ１２０は、突出部１２２Ａと、突出部１２２Ｂとを含んでいる。各突出部１２２は、身箱１００の側面の上端部に形成されている。突出部１２２Ａと突出部１２２Ｂとは、所定間隔を空けて配置されている。
【００２３】
各突出部１２２は、身箱１００の側面に垂直切込み部１２３Ａ，１２３Ｂと、水平切込み部１２５とを設けることによって形成されている。各垂直切込み部１２３は身箱１００の側面上において垂直方向に形成されており、水平切込み部１２５は身箱１００の側面上において水平方向に形成されている。
【００２４】
垂直切込み部１２３Ａと水平切込み部１２５とによってＴ字状の切込みが形成されているとともに、垂直切込み部１２３Ｂと水平切込み部１２５とによってＴ字状の切込みが形成されている。換言すると、垂直切込み部１２３Ａ，１２３Ｂと水平切込み部１２５とによって、Ｈ字状の切込みが形成されている。すなわち、各垂直切込み部１２３は水平切込み部１２５の端部に接するとともに、各垂直切込み部１２３の下端は水平切込み部１２５よりも下方に位置している。各垂直切込み部１２３の下端が水平切込み部１２５よりも下方に位置している理由については後程詳しく説明する。
【００２５】
＜２−２．身箱の展開図＞
図５は、身箱１００の展開図である。図５に示されるように、身箱１００は、底面１１１と、側面１１２，１１３，１１４，１１５とを含んでいる。側面１１２，１１３，１１４，１１５の各々は、底面１１１と連結している。
【００２６】
側面１１４を構成する四辺のうち底面１１１と連結している辺と対向する辺には、フラップ１２０Ａが連結されている。側面１１４とフラップ１２０Ａとは、連結部１２１，１２６，１２７を介して連結されている。連結部１２６，１２７には罫線が形成される一方、連結部１２１にはミシン目が形成されている。連結部１２１にミシン目が形成されているため、ユーザは、身箱１００から蓋箱２００（図１）を取り外した後に、フラップ１２０Ａを容易に千切り取ることができる。なお、連結部１２６，１２７にミシン目が形成されていないのは、意図せずフラップ１２０Ａが千切れることを抑制するためである。ただし、フラップ１２０Ａの千切れをより容易にするために、連結部１２６，１２７にもミシン目を形成してもよい。
【００２７】
側面１１５も側面１１４と同様、一端にフラップ１２０Ｂが連結されている。側面１１５とフラップ１２０Ｂとの連結状態は、側面１１４とフラップ１２０Ａとの連結状態と同様である。
【００２８】
側面１１２には糊代１１６，１１７が連結されており、側面１１３には糊代１１８，１１９が連結されている。側面１１２，１１３，１１４，１１５の各々を底面１１１に対して折り曲げた後に、糊代１１６，１１８の各々を側面１１４に糊付けし、糊代１１７，１１９の各々を側面１１５に糊付けすることによって、身箱１００が組み立てられる。
【００２９】
［３．蓋箱の構成］
＜３−１．蓋箱の外観構成＞
図６は、蓋箱２００の斜視図である。図６に示されるように、蓋箱２００は、四角形状の天面２１０と、４つの側面２１１とを含んでいる。たとえば、側面２１１Ａには、押込み部２１２Ａが形成されている。側面２１１Ａは、蓋箱２００が身箱１００に取り付けられた場合に、開口部１０５（図２）を形成する四辺のうちフラップ１２０が設けられた一辺に隣接する側面（本発明の「隣接側面」の一例）である。押込み部２１２Ａは、側面２１１Ａのうち押込み部２１２Ａ以外の部分である側面本体よりも蓋箱２００の内側に折り曲げ可能に構成されている。押込み部２１２の役割については、後程詳しく説明する。
【００３０】
図７は、蓋箱２００の正面図である。図７に示されるように、側面２１１Ｂには、半円状の切込みが形成されている。
【００３１】
図８は、図７のＶＩＩＩ−ＶＩＩＩ断面図である。図８に示されるように、側面２１１Ｃには、押込み部２１２Ｂが形成されている。また、側面２１１Ｃには、糊代２１４，２１６が糊付けされている。糊代２１６が糊付けされることによって側面２１１Ｃ上に段が形成され、天面２１０と糊代２１６との間に凹部２２０Ａが形成されている。また、糊代２１４が糊付けされることによって側面２１１Ｃ上に段が形成され、天面２１０と糊代２１４との間に凹部２２０Ｂが形成されている。
【００３２】
図９は、図８のＩＸ−ＩＸ断面の一部を示す模式図である。図９に示されるように、天面２１０と糊代２１６との間には、凹部２２０Ａが形成されている。
【００３３】
＜３−２．蓋箱の展開図＞
図１０は、蓋箱２００の展開図である。図１０に示されるように、蓋箱２００は、天面２１０と、側面２１１Ａ，２１１Ｂ，２１１Ｃ，２１１Ｄとを含んでいる。側面２１１Ａ，２１１Ｂ，２１１Ｃ，２１１Ｄの各々は、天面２１０と連結している。
【００３４】
側面２１１Ａ，２１１Ｃには、押込み部２１２Ａ，２１２Ｂがそれぞれ形成されている。押込み部２１２Ａ，２１２Ｂの各々において、天面２１０と隣接する辺は天面２１０に連結されておらず（カットされている。）、他の辺はそれぞれ側面２１１Ａ，２１１Ｃに連結されている。なお、天面２１０と隣接する辺に対向する辺はミシン目を介して各側面２１１に連結されており、他の辺はたとえば１本の柱を介して各側面２１１に連結されている。したがって、ユーザが各押込み部２１２を折り曲げようとした場合に、ミシン目を介して各側面２１１に連結されている辺よりも他の辺（１本の柱で連結）が先に破断し、ミシン目を介して各側面２１１に連結されている辺を軸として押込み部２１２が折り曲がる。側面２１１Ｂには糊代２１３，２１４が連結されており、側面２１１Ｄには糊代２１５，２１６が連結されている。側面２１１Ａ，２１１Ｂ，２１１Ｃ，２１１Ｄの各々を天面２１０に対して折り曲げた後に、糊代２１３，２１５の各々を側面２１１Ａに糊付けし、糊代２１４，２１６の各々を側面２１１Ｃに糊付けすることによって、蓋箱２００が組み立てられる。
【００３５】
［４．取付け状態］
上述のように、収容箱１０においては、粘着テープ等が用いられなくても、身箱１００への蓋箱２００の取付け状態が維持される。これは、身箱１００へ蓋箱２００を取り付けた場合に、身箱１００に設けられた突出部１２２が蓋箱２００に形成された凹部２２０に係合するためである。
【００３６】
図１１は、身箱１００へ蓋箱２００が取り付けられた状態における、突出部１２２と凹部２２０との位置関係を示す図である。図１１に示されるように、身箱１００へ蓋箱２００が取り付けられると、フラップ１２０の突出部１２２が凹部２２０に係合する。したがって、身箱１００に製品が詰められている場合に、蓋箱２００が上に持ち上げられたとしても、突出部１２２が糊代２１６の上端に引っ掛かるため、身箱１００が落下しない。その結果、この収容箱１０によれば、身箱１００と蓋箱２００とを粘着テープ等で固定しなくても、身箱１００と蓋箱２００との取付け状態を維持することができる。
【００３７】
［５．取外し動作］
上述のように、身箱１００へ蓋箱２００が取り付けられると、身箱１００と蓋箱２００との取付け状態が維持される。たとえば、身箱１００から蓋箱２００を無理やり引き抜こうとすると、身箱１００の突出部１２２が蓋箱２００の凹部２２０に引っ掛かる。したがって、身箱１００から蓋箱２００を無理やり取り外すことは難しい。
【００３８】
図１２は、蓋箱２００の取外し方法を説明するための図である。図１２に示されるように、押込み部２１２（たとえば、押込み部２１２Ａ）が蓋箱２００の内側に折り曲げられると、押込み部２１２が身箱１００の側面を押圧する。これにより、各突出部１２２が身箱１００の内側に反れ、各突出部１２２と凹部２２０（図１１）との係合が解除される。したがって、この収容箱１０によれば、押込み部２１２を蓋箱２００の内側に折り曲げるだけで、容易に蓋箱２００を身箱１００から取り外すことができる。
【００３９】
［６．特徴］
以上のように、本実施の形態に従う収容箱１０においては、蓋箱２００が身箱１００の上方に取り付けられた状態で、突出部１２２が凹部２２０に係合する。したがって、この収容箱１０によれば、蓋箱２００と身箱１００とを粘着テープ等で固定しなくても、蓋箱２００と身箱１００との取付け状態を維持することができる。また、この収容箱１０においては、蓋箱２００の側面２１１Ａ，２１１Ｃに押込み部２１２Ａ，２１２Ｂがそれぞれ形成されている。押込み部２１２が蓋箱２００の内側に折り曲げられると、押込み部２１２が身箱１００の側面を押圧し、突出部１２２と凹部２２０との係合が解除される。したがって、この収容箱１０によれば、押込み部２１２を蓋箱２００の内側に折り曲げるだけで、容易に蓋箱２００を身箱１００から取り外すことができる。
【００４０】
また、本実施の形態に従う収容箱１０においては、身箱１００に形成された各垂直切込み部１２３（図４）の下端が水平切込み部１２５よりも下方に位置している。この理由について次に説明する。
【００４１】
たとえば、２つの垂直切込み部と水平切込み部とによってコの字状の切込みを形成することが考えられる。この場合には、コの字状の刃によって切込みを形成し得る。しかしながら、この場合には、垂直切込み部を形成する方向の刃の長さが短く、垂直切込み部と水平切込み部とによって形成される角が必ずしも鋭利な直角ではなくなってしまう可能性がある。本実施の形態に従う収容箱１０においては、垂直切込み部１２３Ａ，１２３Ｂと水平切込み部１２５とによって、Ｈ字状の切込みが形成される。したがって、この収容箱１０によれば、垂直切込み部１２３Ａ，１２３Ｂを形成する刃の長さを十分に長くすることができるため、垂直切込み部１２３Ａ，１２３Ｂの各々と水平切込み部１２５とによって形成される角を鋭利な直角にすることができる。
【００４２】
また、たとえば、２つの垂直切込み部と水平切込み部とによってコの字状の切込みが形成されている場合には、フラップ１２０を誤って身箱１００の開口部１０５の外側に向けて折り曲げてしまったときに、フラップ１２０を身箱１００の開口部１０５の内側に向けて折り曲げ直したとしても、突出部１２２が（コの字状の切込みに引っ掛かって）必ずしも身箱１００の開口部１０５の外側に延びないという事態が生じ得る。本実施の形態に従う収容箱１０においては、垂直切込み部１２３Ａ，１２３Ｂと水平切込み部１２５とによって、Ｈ字状の切込みが形成される。この収容箱１０においては、フラップ１２０の折り曲げ方向を誤った方向から正しい方向に修正した場合に、身箱１００の側面の一部（Ｈ字状の切込みが設けられた部分）が押し曲げられるため、突出部１２２が身箱１００の開口部１０５の外側に延びる可能性が高い。したがって、この収容箱１０によれば、フラップ１２０の折り曲げ方向を一度間違ってしまったとしても、再度フラップ１２０を折り曲げ直すことによって、突出部１２２を身箱１００の開口部１０５の外側に延ばすことができる。
【００４３】
［７．変形例］
以上、実施の形態について説明したが、本発明は、上記実施の形態に限定されるものではなく、その趣旨を逸脱しない限りにおいて、種々の変更が可能である。以下、変形例について説明する。但し、以下の変形例は適宜組合せ可能である。
【００４４】
＜７−１＞
上記実施の形態においては、身箱１００の上方に形成される開口部１０５の形状が四角形状であるとした。しかしながら、開口部１０５の形状は必ずしも四角形状である必要はない。たとえば、開口部１０５は、三角形状であっても、五角形状であってもよい。要するに、開口部１０５は、多角形状であればよい。これは、蓋箱２００の天面２１０も同様である。
【００４５】
＜７−２＞
また、上記実施の形態においては、フラップ１２０が開口部１０５の二辺に形成された。しかしながら、フラップ１２０の数はこれに限定されない。たとえば、フラップ１２０は、一辺だけに設けられてもよいし、三辺以上に設けられてもよい。
【００４６】
＜７−３＞
また、上記実施の形態においては、押込み部２１２が蓋箱２００の二つの側面に設けられた。しかしながら、押込み部２１２の数はこれに限定されない。たとえば、押込み部２１２は、一つの側面だけに設けられてもよいし、三つ以上の側面に設けられてもよい。
【符号の説明】
【００４７】
１０  収容箱、１００  身箱、１０５  開口部、１１０  身箱本体、１１１  底面、１１２，１１３，１１４，１１５，２１１，２１１Ａ，２１１Ｂ，２１１Ｃ，２１１Ｄ  側面、１１６，１１７，１１８，１１９，２１３，２１４，２１５，２１６  糊代、１２０，１２０Ａ，１２０Ｂ  フラップ、１２１，１２６，１２７  連結部、１２２，１２２Ａ，１２２Ｂ  突出部、１２３，１２３Ａ，１２３Ｂ  垂直切込み部、１２４  フラップ本体部、１２５  水平切込み部、２００  蓋箱、２１０  天面、２１２，２１２Ａ，２１２Ｂ  押込み部、２２０，２２０Ａ，２２０Ｂ  凹部。
【図１】
2020019547.tif 000003
【図２】
2020019547.tif 000004
【図３】
2020019547.tif 000005
【図４】
2020019547.tif 000006
【図５】
2020019547.tif 000007
【図６】
2020019547.tif 000008
【図７】
2020019547.tif 000009
【図８】
2020019547.tif 000010
【図９】
2020019547.tif 000011
【図１０】
2020019547.tif 000012
【図１１】
2020019547.tif 000013
【図１２】
2020019547.tif 000014